(57)【特許請求の範囲】
【請求項１】
少なくとも映像信号を含むビデオ信号の記録および再生を行うビデオ信号記録再生装置であって、
入力されて記録されるビデオ信号または再生されて出力されるビデオ信号を選択する第１の選択手段と、
前記第１の選択手段で選択された信号を記録再生する第１の記録再生手段と、
前記第１の選択手段で選択された信号または前記第１の記録再生手段からの再生信号を選択する第２の選択手段と、
前記第２の選択手段で選択された信号を記録再生する第２の記録再生手段と、
前記第２の記録再生手段からの再生信号または上記第１の記録再生手段からの再生信号を選択する第３の選択手段と、
前記第１の選択手段、前記第２の選択手段および前記第３の選択手段での信号の選択、並びに、上記第１の記録再生手段および上記第２の記録再生手段での記録再生を制御する制御手段と
を有し、
前記制御手段は、
ビデオ信号の記録を行う場合、
前記第１の選択手段が前記入力されるビデオ信号を選択するように制御し、
前記第２の選択手段が前記第１の選択手段で選択された信号を選択するように制御し、
前記第１の記録再生手段および前記第２の記録再生手段の動作状態が異常か否か判定し、
当該判定において双方の動作状態が異常でないと判定したならば前記第１の記録再生手段および前記第２の記録再生手段が同時記録を行い、一方の動作状態が異常であると判定したならば異常でない他方の記録再生手段において記録を行うように制御し、
ビデオ信号の再生を行う場合、
前記第１の記録再生手段および前記第２の記録再生手段に記録される同一のビデオ信号の同時再生を行うように制御するとともに、前記第２の記録再生手段の動作状態を監視し、
前記監視において前記第２の記録再生手段の動作状態に異常が認められないならば、前記第３の選択手段が前記第２の記録再生手段からの再生信号を選択し、前記第２の記録再生手段の動作状態に異常が認められたならば、前記第３の選択手段が前記第１の記録再生手段からの再生信号を選択するように制御する、
ビデオ信号記録再生装置。
【請求項２】
前記第２の記録再生手段は、ビデオ信号の記録と再生を並行に行うことが可能であり、
前記制御手段は、前記第１の記録再生手段および前記第２の記録再生手段が同時記録を行っているときに、前記第１の記録再生手段および前記第２の記録再生手段が同時再生を行うように指示する所定の命令が入力された場合、前記第１の記録再生手段が記録動作を停止し、前記第２の記録再生手段が記録動作を継続するように制御する
請求項１記載のビデオ信号記録再生装置。
【請求項３】
前記第２の記録再生手段は、ランダムアクセス可能なディスク状記録媒体に前記ビデオ信号を記録する手段である
請求項２記載のビデオ信号記録再生装置。
【請求項４】
前記第１の記録再生手段は、テープ状記録媒体に前記ビデオ信号を記録する手段である
請求項３記載のビデオ信号記録再生装置。
【請求項５】
前記第１の選択手段が選択したビデオ信号を所定の符号化方式で符号化する符号化手段をさらに有し、
前記第１の記録再生手段および前記第２の記録再生手段は、前記符号化手段で符号化されたビデオ信号を記録する、
請求項１記載のビデオ信号記録再生装置。
【請求項６】
前記第１の記録再生手段および前記第２の記録再生手段で再生され、前記第３の選択手段で選択される符号化されたビデオ信号を復号化する復号化手段をさらに有し、
前記第１の選択手段は、前記復号化手段において復号化されたビデオ信号を前記出力されるビデオ信号として選択する、
請求項５記載のビデオ信号記録再生装置。
【請求項７】
前記制御手段は、
前記第２の記録再生手段に記録されるビデオ信号を前記第１の記録再生手段に転送する場合、前記第１の選択手段が前記出力されるビデオ信号を選択し、前記第２の記録再生手段が再生を行い、前記第１の記録再生手段が記録を行うように制御し、
前記第１の記録再生手段に記録されるビデオ信号を前記第２の記録再生手段に転送する場合、前記第２の選択手段が前記第１の記録再生手段からの再生信号を選択し、前記第１の記録再生手段が再生を行い、前記第２の記録再生手段が記録を行うように制御する、
請求項６記載のビデオ信号記録再生装置。
【請求項８】
少なくとも前記入力されるビデオ信号に対して、所定のタイムコードを生成するタイムコード生成手段をさらに有し、
当該タイムコードに基づいて、前記第１の記録再生手段および前記第２の記録再生手段はビデオ信号を同期的に再生する
請求項１記載のビデオ信号記録再生装置。
【請求項９】
前記制御手段は、少なくとも前記第１の記録再生手段、前記第２の記録再生手段、前記第１の選択手段、前記第２の選択手段および前記第３の選択手段を直接的に制御し、当該各手段を同期して動作させる第１の制御手段と、
作業者の指示が入力され、当該入力された指示に基づいて前記第１の制御手段に対して所定の制御手続きを指示する第２の制御手段と
を有する請求項１記載のビデオ信号記録再生装置。
【請求項１０】
前記第２の制御手段は、任意の表示装置上にグラフィカル・ユーザ・インターフェイス（ＧＵＩ）に基づいた指示が可能な構成であり、少なくとも前記入力されるビデオ信号の前記記録再生手段への記録、および、前記選択手段におけるビデオ信号の選択に関する前記作業者の指示はこれにより行われる
請求項９記載のビデオ信号記録再生装置。
【請求項１１】
前記第２の制御手段は、汎用の計算機装置により構成されている
請求項１０記載のビデオ信号記録再生装置。
【発明の詳細な説明】
【０００１】
【発明の属する技術分野】
本発明は、ビデオ信号を記録し、かつ記録と同時的に再生を行うことができるビデオ信号記録再生装置であって、特により信頼性の優れたビデオ信号記録再生装置に関する。
【０００２】
【従来の技術】
画像処理技術や記録技術の進展により、ビデオ信号をハードディスク装置などの記録媒体に記録することができるようになっている。ビデオ信号をそのようなランダムアクセス可能な記録媒体に記録しておけば、編集などの処理を容易に行うことができ有効である。そのような、ビデオ信号をランダムアクセス可能な記録媒体に記録して有効に利用する装置として、記録しながらほぼ同時に再生することのできる装置もある。
従来のそのような同時記録再生が可能な装置を図９を参照して説明する。
図９は、そのビデオ信号記録再生装置を示す図であり、（Ａ）は装置の構成を示す図であり、（Ｂ）はその装置の動作を示す図である。
【０００３】
図９（Ａ）に示すように、ビデオ信号記録再生装置９００は、ビデオ信号を記録し再生する同時記録再生装置９１０と、同時記録再生装置９１０を制御する制御用コンピュータ９２０で構成されている。
同時記録再生装置９１０は、ハードディスク装置を記録媒体とする記録装置である。このハードディスク装置には、各々独立に動作する記録用のヘッドと再生用のヘッドが設けられており、これにより記録と再生が並行して行えるようになっている。したがって、図９（Ｂ）に示すように、記録した直後のビデオ信号であっても、記録用ヘッドの位置から再生用ヘッドの位置までディスクが回転する時間ΔＴ遅延するだけで、直ちにビデオ信号を再生し出力することができる。
もちろん記録媒体がハードディスク装置なので、ランダムに再生することができる。
【０００４】
【発明が解決しようとする課題】
しかしながら、ハードディスク装置は、これまでビデオ信号を記録する主たる記録媒体であったＶＴＲ装置と比較して、信頼性が非常に低いという問題がある。
ハードディスク装置は、テープレコーダ装置と比較して若干の衝撃でもクラッシュなどを起こし故障が発生する確率が高い。そして一旦そのような故障が生じると、ビデオ信号の記録や記録されている信号の再生が出来なくなるという問題を生じる。特に、このような同時記録再生可能な装置が有効に利用される放送局などにおいては、このような装置を輸送して用いる場合が多く、故障の発生する確率はより一層高い。
【０００５】
そのような故障に対応するために、処理対象のビデオ信号を別途ＶＴＲ装置でも記録しておくという対策も考えられている。しかし、１つのビデオ信号に対して、いちいち２つの装置を操作するのでは操作性が悪い上に、システムの複雑化と大規模化をもたらすことになり、適切な対応とは言えない。
【０００６】
また、前述したような従来の同時記録再生装置においては、一度記録したビデオ信号を他の機器においてノンリニア編集する場合などに、その装置にビデオ信号の転送を行わなければならず、操作が面倒で時間がかかるという問題もあった。すなわち、記録したビデオ信号をより簡単に利用することができるように要望されていた。
【０００７】
したがって、本発明の目的は、入力されるビデオ信号を記録とほぼ同時的な場合を含めて所望のタイミングで再生し出力することができるビデオ信号記録再生装置であって、より信頼性が高く、操作性がよく、応用性・利便性の高いビデオ信号記録再生装置を提供することにある。
【０００８】
【課題を解決するための手段】
前記課題を解決するために、本発明のビデオ信号記録再生装置においては、ランダムアクセス可能で記録と再生を同時に行うことができるハードディスク装置とより信頼性の高いＶＴＲとの両方を具え、それらが上位制御装置により一括して管理・制御されるようにした。また、それらの各装置を、入力されるビデオ信号を記録する装置、要求されたビデオ信号を再生する装置としてダイナミックに選択して使用することができ、またそれら２系統の装置に対する制御をＧＵＩ環境下で視覚的かつ容易に行えるようにした。
【０００９】
したがって、本発明のビデオ信号記録再生装置は、入力されて記録されるビデオ信号または再生されて出力されるビデオ信号を選択する第１の選択手段と、前記第１の選択手段で選択された信号を記録再生する第１の記録再生手段と、前記第１の選択手段で選択された信号または前記第１の記録再生手段からの再生信号を選択する第２の選択手段と、前記第２の選択手段で選択された信号を記録再生する第２の記録再生手段と、前記第２の記録再生手段からの再生信号または上記第１の記録再生手段からの再生信号を選択する第３の選択手段と、前記第１の選択手段、前記第２の選択手段および前記第３の選択手段での信号の選択、並びに、上記第１の記録再生手段および上記第２の記録再生手段での記録再生を制御する制御手段とを有する。
前記制御手段は、ビデオ信号の記録を行う場合、前記第１の選択手段が前記入力されるビデオ信号を選択するように制御し、前記第２の選択手段が前記第１の選択手段で選択された信号を選択するように制御し、前記第１の記録再生手段および前記第２の記録再生手段の動作状態が異常か否か判定し、当該判定において双方の動作状態が異常でないと判定したならば前記第１の記録再生手段および前記第２の記録再生手段が同時記録を行い、一方の動作状態が異常であると判定したならば異常でない他方の記録再生手段において記録を行うように制御する。
また、前記制御手段は、ビデオ信号の再生を行う場合、前記第１の記録再生手段および前記第２の記録再生手段に記録される同一のビデオ信号の同時再生を行うように制御するとともに、前記第２の記録再生手段の動作状態を監視し、前記監視において前記第２の記録再生手段の動作状態に異常が認められないならば、前記第３の選択手段が前記第２の記録再生手段からの再生信号を選択し、前記第２の記録再生手段の動作状態に異常が認められたならば、前記第３の選択手段が前記第１の記録再生手段からの再生信号を選択するように制御する。
【００１０】
本発明のビデオ信号記録再生装置は、前記第１の選択手段が選択したビデオ信号を所定の符号化方式で符号化する符号化手段をさらに有しても良い。この場合、前記第１の記録再生手段および前記第２の記録再生手段は、前記符号化手段で符号化されたビデオ信号を記録してもよい。
また本発明のビデオ信号記録再生装置は、前記第１の記録再生手段および前記第２の記録再生手段で再生され、前記第３の選択手段で選択される符号化されたビデオ信号を復号化する復号化手段をさらに有しても良い。この場合、前記第１の選択手段は、前記復号化手段において復号化されたビデオ信号を前記出力されるビデオ信号として選択しても良い。
更に本発明のビデオ信号記録再生装置は、少なくとも前記入力されるビデオ信号に対して、所定のタイムコードを生成するタイムコード生成手段をさらに有し、当該タイムコードに基づいて、前記第１の記録再生手段および前記第２の記録再生手段はビデオ信号を同期的に再生しても良い。このタイムコードは、外部よりビデオ信号とともに入力されるタイムコードに基づいたものでも、タイムコード生成手段内で発生されたタイムコードでも良い。
【００１１】
前記第２の記録再生手段は、ビデオ信号の記録と再生を並行に行うことが可能であっても良い。この場合、前記制御手段は、前記第１の記録再生手段および前記第２の記録再生手段が同時記録を行っているときに、前記第１の記録再生手段および前記第２の記録再生手段が同時再生を行うように指示する所定の命令が入力された場合、前記第１の記録再生手段が記録動作を停止し、前記第２の記録再生手段が記録動作を継続するように制御しても良い。
前記第２の記録再生手段は、ランダムアクセス可能なディスク状記録媒体に前記ビデオ信号を記録する手段であっても良い。前記第１の記録再生手段は、テープ状記録媒体に前記ビデオ信号を記録する手段であっても良い。
【００１２】
また好適には、前記制御手段は、少なくとも前記第１の記録再生手段、前記第２の記録再生手段、前記第１の選択手段、前記第２の選択手段および前記第３の選択手段を直接的に制御し、当該各手段を同期して動作させる第１の制御手段と、作業者の指示が入力され、当該入力された指示に基づいて前記第１の制御手段に対して所定の制御手続きを指示する第２の制御手段とを有する。そしてその第２の制御手段は、汎用の計算機装置などにより構成され、ディスプレイ上でグラフィカル・ユーザ・インターフェイス（ＧＵＩ）に基づいた指示が可能であり、少なくとも前記入力されるビデオ信号の前記記録再生手段への記録、および、前記選択手段におけるビデオ信号の選択に関する前記作業者の指示はこれにより行われるのが好適である。
【００１３】
【発明の実施の形態】
本発明のビデオ信号記録再生装置の一実施の形態を図１〜図６を参照して説明する。
本実施の形態のビデオ信号記録再生装置は、入力されるビデオ信号の記録と再生をほぼ同時に行うことができるハードディスク装置と、そのハードディスクへの記録および再生をバックアップするビデオテープレコーダ装置を有するビデオ信号記録再生装置である。そして、このビデオ信号記録再生装置は、たとえばテレビジョン放送局などにおいて、スポーツ中継やニュース番組などのように突発的な事象、決定的な事象が生じる可能性が高い番組において、常に映像信号の記録動作を行いながら、その記録と並行してその決定的な瞬間の映像の確認と、瞬時の再生動作が実行できるような装置である。
図１は、そのビデオ信号記録再生装置１の構成を示すブロック図である。
ビデオ信号記録再生装置１は、記録再生部１００、制御部２００および操作部３００を有する。
【００１４】
まず、各部の構成について説明する。
記録再生部１００は、制御部２００からの制御信号に基づいて、入力されるビデオ信号を実際に記録し、要求に応じて再生し出力する。
その記録再生部１００のより詳細な構成を図２に示す。
図２は、記録再生部１００の構成を示すブロック図であり、記録再生部１００は、第１のスイッチ１０２、エンコーダ１０４、第２のスイッチ１０６、ハードディスク（ＨＤ）装置１０８、ビデオテープレコーダ（ＶＴＲ）装置１１０、第３のスイッチ１１２、デコーダ１１４、タイムコード生成部１１６、制御部１１８およびＩＯ部１２０を有する。
【００１５】
第１のスイッチ１０２は、制御部１１８からの制御信号に基づいて、ＨＤ装置１０８およびＶＴＲ１１０に対して入力し記録するビデオ信号を選択する。第１のスイッチ１０２においては、外部から入力されるビデオ信号か、デコーダ１１４から出力されるビデオ信号のいずれかが選択され、通常、入力されるビデオ信号を記録する場合には前者が、ＨＤ装置１０８に記録されているビデオ信号をＶＴＲ１１０に転送する場合などにおいては後者が各々選択される。選択されたビデオ信号はエンコーダ１０４に出力される。
エンコーダ１０４は、第１のスイッチ１０２から入力されるビデオ信号をＭＰＥＧ方式(Moving Picture coding Experts Groupによる高品質動画符号化方式) で符号化し、符号化されたビデオ信号を第２のスイッチ１０６およびＶＴＲ１１０に出力する。この時、エンコーダ１０４にはタイムコード生成部１１６よりタイムコードのデータが入力され、これをビデオ信号に多重化して符号化ビデオ信号を生成する。
【００１６】
第２のスイッチ１０６は、制御部１１８からの制御信号に基づいて、ＨＤ装置１０８に対して入力する符号化ビデオ信号を選択する。第２のスイッチ１０６においては、ＶＴＲ１１０で再生し出力される符号化ビデオ信号か、エンコーダ１０４から出力される第１のスイッチ１０２で選択され符号化されたビデオ信号のいずれかが選択され、通常、入力されるビデオ信号を記録する場合には前者が、ＶＴＲ１１０に記録されているビデオ信号をＨＤ装置１０８に転送する場合においては後者が各々選択される。選択された符号化ビデオ信号はＨＤ装置１０８に出力される。
ＨＤ装置１０８は、制御部１１８からの制御信号に基づいて、第２のスイッチ１０６を介して入力される符号化ビデオ信号を記録し、またその記録と並行して記録されている符号化ビデオ信号を再生し出力する。ＨＤ装置１０８は、ハード磁気ディスクを記録媒体とし、複数のヘッドにより記録と再生を同時的に行うことができるようにした大容量記録装置である。
【００１７】
ＶＴＲ１１０は、エンコーダ１０４から入力される符号化ビデオ信号をビデオカセットテープに記録し、またビデオカセットテープに既に記録されている符号化ビデオ信号を再生して出力する装置であり、ＨＤ装置１０８におけるビデオ信号の記録または再生のバックアップ装置として用いられる。具体的には、ビデオ信号の記録をバックアップする場合には、第１のスイッチ１０２およびエンコーダ１０４を介して入力されるビデオ信号をＨＤ装置１０８と同時的にＶＴＲ１１０も記録する。また、ビデオ信号の再生をバックアップする場合には、既にビデオ信号の記録されているビデオカセットテープをＨＤ装置１０８におけるビデオ信号の再生と同じタイミングで再生する。これらのＶＴＲ１１０の動作は、全て制御部１１８からの制御信号に基づいて行われる。また、ＶＴＲ１１０において再生されたビデオ信号は、第３のスイッチ１１２に出力される。
【００１８】
第３のスイッチ１１２は、ビデオ信号記録再生装置１より出力するビデオ信号を選択する。第３のスイッチ１１２においては、その出力ビデオ信号として、ＨＤ装置１０８で再生されたビデオ信号か、ＶＴＲ１１０で再生されたビデオ信号かのいずれかを選択する。この選択動作は、制御部１１８からの制御信号に基づいて行われるが、たとえば、通常は主にＨＤ装置１０８の出力が選択され、ＨＤ装置１０８の動作状態が不良の場合などにＶＴＲ１１０の出力が選択される。
デコーダ１１４は、ＨＤ装置１０８またはＶＴＲ１１０で再生され、第３のスイッチ１１２を介して出力されるビデオ信号を復号化し、元のベースバンドビデオ信号を生成し、ビデオ信号記録再生装置１からの出力信号として出力する。なお、ＨＤ装置１０８およびＶＴＲ１１０には、エンコーダ１０４においてＭＰＥＧ方式に基づいて符号化されたビデオ信号が記録されているので、デコーダ１１４においてはＭＰＥＧ復号化を行う。また、デコーダ１１４は、この復号化の際に、符号化ビデオ信号に多重化されていたタイムコードのデータを抽出して、タイムコード生成部１１６に出力する。
【００１９】
タイムコード生成部１１６は、ビデオ信号の記録および再生に際してそのビデオ信号に付加するタイムコードのデータを管理する。具体的には、ビデオ信号の入力の際には、記録対象のビデオ信号に対してタイムコードを生成してエンコーダ１０４に出力する。この時、ビデオ信号の入力とともに外部よりタイムコードのデータが入力される場合には、このタイムコードのデータをそのままエンコーダ１０４に出力し、外部よりタイムコードのデータが入力されない場合には、タイムコード生成部１１６内においてタイムコードを生成し、その生成したタイムコードをエンコーダ１０４に出力する。また、ビデオ信号の再生の際には、デコーダ１１４で再生されるビデオ信号より分離されたタイムコードがタイムコード生成部１１６に入力され、外部に出力される。なお、これらの記録の際および再生の際のタイムコードは、適宜制御部１１８に出力される。
【００２０】
制御部１１８は、後述するＩＯ部１２０を介して入力されるさらに上位の制御部２００からの処理命令に基づいて、記録再生部１００の各部を制御する。具体的には、ＨＤ装置１０８およびＶＴＲ１１０の各記録命令および再生命令が入力された場合には、それら各装置を制御して所望の記録および再生を行う。また、同時記録および同時再生の命令が入力された場合には、その１つの命令に基づいてＨＤ装置１０８およびＶＴＲ１１０の両方を制御して、入力されるビデオ信号のＨＤ装置１０８およびＶＴＲ１１０への同時記録、および、ＨＤ装置１０８およびＶＴＲ１１０における同時の再生を行う。また、制御部１１８にＨＤ装置１０８の状態センスの命令が入力された場合には、制御部１１８はＨＤ装置１０８の動作状態を検出し、異常があるか否かを判定し、その結果を制御部２００に出力する。ＶＴＲ１１０の状態センスの命令も同様にＶＴＲ１１０の動作状態を検出し、その結果を制御部２００に出力する。その他、ＨＤ装置１０８およびＶＴＲ１１０へ記録する信号の選択命令、および、出力するビデオの選択命令などが制御部１１８に入力され、その命令に応じて制御部１１８は第１のスイッチ１０２、第２のスイッチ１０６および第３のスイッチ１１２を適宜切り換える。
【００２１】
ＩＯ部１２０は、制御部２００から記録再生部１００に対する制御信号、および、記録再生部１００から制御部２００への応答信号を伝達するためのインターフェイスであり、ビデオ信号記録再生装置１においてはシリアルインターフェイスによりそれらの信号が伝達される。
【００２２】
制御部２００は、操作部３００において適宜行われる作業者の記録・再生の操作や編集操作に基づいて、記録再生部１００を制御する制御部である。操作部３００からは、たとえば、入力されるビデオ信号の記録、記録されたビデオ信号の再生、リプレイ再生、スロー再生、記録支援、再生支援などの指示が入力される。そして、制御部２００においては、これらの指示に基づいて、実際の記録再生部１００の各構成部を制御する命令群を生成し、記録再生部１００から入力される状態等をも参照して適宜記録再生部１００を制御する。
また、制御部２００には、記録再生部１００に入力される入力ビデオ信号、および、記録再生部１００より出力される出力ビデオ信号が直接的に入力され、これらのビデオ信号を後述する操作部３００に表示可能な形式に変換した後、操作部３００に出力する。
【００２３】
このような制御部２００の動作の中で、本発明に係わる記録支援および再生支援の処理について図３および図４のフローチャートを参照して説明する。
まず、記録支援処理について説明する。
図３は、記録支援処理を示すフローチャートである。
本実施の形態においては、後述する操作部３００の記録支援指示ボタン３２２により記録支援の実行が指示される。記録支援が指示されると記録支援処理の実行が開始され（ステップＳ１１）、実際に記録が開始されるのを待つ（ステップＳ１２）。同じく操作部３００を介して実際に記録開始の指示が入力されたら、まず記録再生部１００に対してＨＤ装置１０８の状態の検出を指示する（ステップＳ１３）。その結果ＨＤ装置１０８の状態が問題なければ、次にＶＴＲ１１０の状態の検出を指示し（ステップＳ１４）、これも問題なければ記録再生部１００に対して、ＨＤ装置１０８およびＶＴＲ１１０での同時記録の開始コマンドを伝送する（ステップＳ１５）。これにより入力ビデオ信号はＨＤ装置１０８とＶＴＲ１１０の両方に記録される。
【００２４】
ステップＳ１３において、ＨＤ装置１０８に異常が発見された場合には、操作部３００に対してＨＤ装置１０８の異常を知らせるエラー表示を行い（ステップＳ１６）、次にＶＴＲ１１０の状態の検出を記録再生部１００に指示する（ステップＳ１７）。ＶＴＲ１１０に異常がなければ、ＶＴＲ１１０へ記録の開始コマンドを伝送する（ステップＳ１８）。これにより、入力ビデオ信号はＶＴＲ１１０のみに記録される。
ステップＳ１８において、ＶＴＲ１１０にも異常が発見された場合には、操作部３００に対してさらにＶＴＲ１１０の異常を知らせるエラー表示を行い、記録支援動作および記録動作自体を終了する（ステップＳ１９）。
また、ステップＳ１４においてＶＴＲ１１０に異常が発見された場合には、操作部３００に対してＶＴＲ１１０の異常を知らせるエラー表示を行い（ステップＳ２０）、ＨＤ装置１０８へ記録の開始コマンドを記録再生部１００に伝送する（ステップＳ２１）。これにより、入力ビデオ信号はＨＤ装置１０８のみに記録される。
【００２５】
次に、再生支援処理について説明する。なおここでは、前述した記録支援処理によりＨＤ装置１０８およびＶＴＲ１１０への同時記録が行われている時に、再生支援処理が指示された場合であって、ＨＤ装置１０８への記録は継続しながら、既に記録されたビデオ信号を再生支援モードで再生する場合について説明する。
図４は、その再生支援処理を示すフローチャートである。
再生支援処理も、後述する操作部３００の再生支援指示ボタン３２４がクリックされることにより再生支援の実行が指示される。再生支援が指示されると再生支援処理の実行が開始され（ステップＳ３１）、現在行われている記録支援動作に基づくＶＴＲ１１０へのビデオ信号の記録を停止を記録再生部１００に対して指示する（ステップＳ３２）。これにより、前述した記録支援動作は強制終了される。
【００２６】
次に、現在ＨＤ装置１０８において再生、出力されているビデオ信号の位置の検出を記録再生部１００に指示し（ステップＳ３３）、記録再生部１００において検出され入力されたその位置の情報に基づいてＶＴＲ１１０に記録されているビデオ信号の頭出しを指示する（ステップＳ３４）。そして、その頭出しが終了したら、そこの位置に記録されているビデオ信号のタイムコードをさらに検出して、ＨＤ装置１０８で再生されているビデオ信号と同一のビデオ信号が記録されているか否かをチェックする（ステップＳ３５）。もし、タイムコードが一致せず、同一のビデオ信号が記録されていないと判断された場合には、操作部３００に対してエラー表示を行い、再生支援処理を終了する（ステップＳ３６）。
【００２７】
ステップＳ３５においてタイムコードが一致した場合には、そのタイムコードに基づいて同期をとって、ＶＴＲ１１０での再生の開始を指示し、ＨＤ装置１０８と同時再生を行う（ステップＳ３７）。
その後、ＨＤ装置１０８の状態の監視を記録再生部１００に対して指示し（ステップＳ３８）、ＨＤ装置１０８に異常が発生した場合には（ステップＳ３８）、第３のスイッチ１１２がＶＴＲ１１０で再生されたビデオ信号を選択するようなコマンドを記録再生部１００に出力し、ＶＴＲ１１０で再生されたビデオ信号がビデオ信号記録再生装置１より出力されるようにする（ステップＳ３９）。
【００２８】
操作部３００は、ビデオ信号記録再生装置１を用いて任意のビデオ信号の記録、再生、編集などを行う際の操作部であり、処理するビデオデータやビデオ信号記録再生装置１の各部の状態などを表示する表示部と、命令を入力するための入力部より構成される。本実施の形態においては、この操作部３００は通常パーソナルコンピュータなどで用いられているディスプレイとマウスにより構成され、制御部２００の制御により提供されるグラフィカルユーザインターフェイス（ＧＵＩ）環境下でビデオ信号記録再生装置１の操作を行う。
そのＧＵＩ画面の例を図５に示す。
図５は、操作部３００の操作画面を示す図であり、操作画面３１０上には、入力映像表示部３１２、出力映像表示部３１４、指定画像表示部３１６、時計表示部３１８、時間軸動作表示部３２０、記録支援指示ボタン３２２および再生支援指示ボタン３２４が配置されている。
【００２９】
入力映像表示部３１２は、入力されるビデオ信号を表示するウィンドウ、出力映像表示部３１４は出力されるビデオ信号を表示するウィンドウである。
指定画像表示部３１６は、図示せぬ映像指定スイッチ（マークスイッチ）を押下することにより選択した位置の映像を表示するウィンドウであり、このマ−キングを行うことによりたとえばスポーツ中継の決定的瞬間などの映像およびその発生時刻を視覚的かつ直接的に記憶することができ、後のリプレイや編集などに容易に使用できるようにするものである。
【００３０】
時計表示部３１８は、種々の時間情報を表示するためのオブジェクトである。たとえば、入力され記録されたビデオ信号のスローリプレイ再生を行っている場合には、その再生画面の時間表示を行うようにしてもよい。また、伝送されるビデオ信号の自動収録や、記録されているビデオデータの自動送出などを行う場合には、その時間の指示を行うためのオブジェクトとして使用したり、その設定時刻を表示するためのオブジェクトとして使用してもよい。また、実際の時計として使用してもよい。
時間軸動作表示部３２０は、前述したようなスロー再生や種々の編集処理を行う際に、その対象ビデオ信号の処理時間、たとえばスロー再生の再生時間を表示するウィンドウであり、これにより番組プログラムとして再生中の編集やリプレイなどの操作性を高めるものである。
【００３１】
記録支援指示ボタン３２２は、入力されたビデオ信号の記録を行う際に、より確実にビデオ信号を記録するためにＶＴＲ装置による支援動作を行うか否かを指示するボタンであり、これをクリックすることにより支援動作を有効にする、あるいは無効にするという設定が適宜切り換えられる。このボタンにより記録支援動作が有効にされた場合に、制御部２００においては前述した記録支援処理が行われる。
再生支援指示ボタン３２４は、記録されたビデオ信号の再生、出力を行う際に、より確実にビデオ信号を出力するためにＶＴＲ装置による支援動作を行うか否かを指示するボタンであり、これをクリックすることにより支援動作を有効にする、あるいは無効にするという設定が適宜切り換えられる。このボタンにより再生支援動作が有効にされた場合に、制御部２００においては前述した再生支援処理が行われる。
【００３２】
次に、ビデオ信号記録再生装置１の動作について説明する。
記録および再生の支援動作を行わない時には、ビデオ信号記録再生装置１に入力されるビデオ信号は記録再生部１００に入力される。そして、記録再生部１００において、第１のスイッチ１０２を介してエンコーダ１０４に入力されてＭＰＥＧ符号化され、第２のスイッチ１０６を介してＨＤ装置１０８に記録される。ＨＤ装置１０８に記録されたビデオ信号は、記録ヘッドの位置から再生ヘッドの位置までディスク状記録媒体が回転するわずかな時間差だけ遅延されて直ちに再生することができ、要求に応じた時間に任意の場所より再生され、第３のスイッチ１１２を介してデコーダ１１４に入力され、デコーダ１１４で復号化されて出力される。
この時に、ＨＤ装置１０８に記録されたビデオ信号は操作部３００からの操作に基づいて任意の状態で再生し出力される。たとえば、重要な場面の信号を繰り返し再生したり、スロー再生されたりする。
【００３３】
そして、重要で撮り逃しを極力避けたいビデオ信号を記録する場合には、記録支援モードで入力ビデオ信号は記録される。
操作部３００の記録支援指示ボタン３２２がクリックされると記録支援モードとなり、そのモード下で記録の開始が指示されたら、まずＨＤ装置１０８の状態が検出され、次にＶＴＲ１１０の状態が検出される。そして、両方とも問題がなければ入力ビデオ信号はＨＤ装置１０８とＶＴＲ１１０の両方に記録される。この時ＨＤ装置１０８に記録されたビデオ信号は、要求に応じて前述したように記録と同時に再生される。また、前述した状態の検出においていずれかの装置に異常があった場合には、その異常状態が操作部３００に表示され、異常がない正常な装置に入力ビデオ信号は記録される。仮に両方の装置に異常があった場合にはその旨が操作部３００に表示されて記録処理自体が中断される。
【００３４】
また、間違いなく確実にビデオ信号を再生したい場合には、再生支援モードでビデオ信号の再生を行う。
操作部３００の再生支援指示ボタン３２４がクリックされることにより再生支援モードとなる。もし、その時が記録支援モードであった場合には直ちに解除される。すなわち、ＶＴＲ１１０で行っていたビデオ信号の記録は中止される。
そして、ＨＤ装置１０８が停止中であれば要求されている再生位置、ＨＤ装置１０８がビデオ信号の再生中であればその再生位置を検出し、ＶＴＲ１１０に装着されているビデオテープをその位置に頭出しをする。
【００３５】
その頭出しが終了したら、そこの位置に記録されているビデオ信号のタイムコードを検出して、ＨＤ装置１０８で再生されているビデオ信号と同一のビデオ信号が記録されているか否かをチェックし、同一のビデオ信号が記録されている場合にはそのタイムコードに基づいて同期をとって、ＨＤ装置１０８と同時に同じビデオ信号の再生を行う。
そしてその後、ＨＤ装置１０８の状態を監視し、ＨＤ装置１０８に異常が発生した場合には第３のスイッチ１１２を切り換えてＶＴＲ１１０で再生されたビデオ信号が出力されるようにする。
【００３６】
このように、本実施の形態のビデオ信号記録再生装置１においては、ランダムアクセス可能で、記録と再生を同時に行うことができるＨＤ装置１０８と、より信頼性の高いＶＴＲ１１０との両方を具え、それらが上位制御装置により一括して管理・制御されている。さらにそのような構成を利用して、各々の装置を、入力されるビデオ信号を記録する装置、要求されたビデオ信号を再生する装置としてダイナミックに選択して使用することができ、またそれら２系統の装置に対する制御をＧＵＩ環境下で視覚的かつ容易に行えるようにしている。
したがって、入力されたビデオ信号を撮り逃すことなく、確実に記録することができ、また、確実に再生出力したいビデオ信号を確実に出力することができる信頼性の非常に高いビデオ信号記録再生装置を提供することができる。
【００３７】
また、ＨＤ装置１０８に記録されたビデオ信号を用いれば、記録とほぼ同時的に再生を行ったり、任意の形態での再生・編集を容易に行うことができる。一方ＶＴＲ１１０を用いることにより、たとえばオフライン編集機などの他のビデオ信号処理装置などに容易に記録したデータを入力したり、また、他の装置で記録あるいは編集されたビデオ信号を本ビデオ信号記録再生装置に適用することができる。
さらに、それらの操作・処理などの指示は、ＧＵＩ環境下で一元的に容易に行うことができる。すなわち、ＨＤ装置１０８やＶＴＲ１１０などに対してばらばらに行う必要はなく、単純にかつ視覚的、直接感覚的に行うことができ、より操作性のよいビデオ信号記録再生装置が提供できる。
【００３８】
なお、本発明は本実施の形態に限られるものではなく、種々の改変が可能である。
たとえば、ビデオ信号を主に記録する記録装置は、本実施の形態においてはハード磁気ディスク装置を用いるものとしたが、これに限られるものではない。たとえば、光磁気ディスク（ＭＯ）装置でもよいし、半導体メモリにより構成される大容量メモリでもよく、ランダムアクセス可能の記録装置であれば、任意の装置でよい。また、ハードディスク装置を複数台用いたＨＤＤアレイなどを用いてもよい。
また、その記録装置における同時記録／再生の方法も、本実施の形態においては複数のヘッドを用いて１の記録媒体に対して同時的に記録および再生ができる構成としたが、一度に記録または再生しか行えないような記録媒体を複数用い、全体として所定時間間隔離れた複数の信号を同時的に記録または再生できるようにした構成の装置でもよい。
【００３９】
また、本実施の形態においては、制御部２００が操作部３００における操作に基づいて、記録再生部１００の各部の状態を検出しその各部に対する命令を発生するような構成であったが、制御部２００と、記録再生部１００の制御部１１８との制御形態の分担、制御レベルの区切りは、このような形態に限られるものではない。記録再生部１００の制御部１１８においてより高レベルな制御を行うようにしてよい。
【００４０】
たとえば、図４に示した再生支援モードの制御部２００に於ける処理の大半を、図６に示すように記録再生部１００の制御部１１８で行うようにしてもよい。図６においては、図４におけるステップＳ３２，Ｓ３３，Ｓ３４，Ｓ３５，Ｓ３７，Ｓ３８，Ｓ３９の処理を、各々ステップＳ３２’，Ｓ３３’，Ｓ３４’，Ｓ３５’，Ｓ３７’，Ｓ３８’，Ｓ３９’として記録再生部１００の制御部１１８で行うようにしている。そして、エラーや出力状態などの情報の伝達（ステップＳ４１，Ｓ４２，Ｓ４３）のみを記録再生部１００の制御部１１８が制御部２００に行うようにしている。このような制御形態にすれば、上位の制御部である制御部２００からは再生支援開始の命令（ステップＳ３１）のみを記録再生部１００に対して行えばよく、細かな制御が何ら必要なくなる。
したがって、制御部２００および操作部３００を汎用的な計算機装置などで構成する場合や、プログラムなどにより記録再生部１００を制御する場合などには、このような制御形態の方が好適である。
【００４１】
【実施例】
このような本発明のビデオ信号記録再生装置のより具体的な構成例を実施例として説明する。
まず、前述した実施の形態の制御部２００および操作部３００として、汎用の計算機装置、たとえばパーソナルコンピュータを適用した場合のビデオ信号記録再生装置について図７に示す。
図７に示すビデオ信号記録再生装置１ｂにおいては、まず、パソコン２００ｂの拡張スロットにＲＳ−４２２による通信制御を行うための制御基板２０２が挿入されており、この制御基板２０２およびＲＳ−４２２ケーブルによりパソコン２００ｂと記録再生部１００が接続されている。そして、このような構成で、パソコン２００ｂと記録再生部１００の間においては、いわゆるＶＴＲ用の９ピンプロトコルにより記録や再生と言った制御が行われるようになっている。
【００４２】
また、このパソコン２００ｂの拡張スロットには、さらにビデオ入力基板２０１が挿入されており、このビデオ入力基板２０１を介して、記録再生部１００に入力されるビデオ信号および記録再生部１００から出力されるビデオ信号をパソコン２００ｂ内に取り込んでいる。取り込んだ各ビデオ信号は、入力映像および出力映像として、ディスプレイ３０１に表示される図５に示したようなＧＵＩ環境下の入力映像表示部３１２および出力映像表示部３１４に表示される。
なお、このような構成においては、通常パーソナルコンピュータに具えられているディスプレイ３０１、キーボード３０２およびマウス３０３というような周辺機器が前述した操作部３００を構成し、前述した種々の操作に用いられる。
【００４３】
このような汎用のパーソナルコンピュータを制御部２００および操作部３００として適用することにより、制御部２００内での制御処理は、たとえばフロッピーディスク４００などを介して自由にインストールすることのできるソフトウエアにより規定することができる。すなわち、少なくとも図３および図４のフローチャートで示したような処理を行う制御ソフトウエアをインストールすることにより、前述した実施の形態で示した制御処理は実行される。そしてそのような処理を包含し、さらにより上位のレベルにおいて所望の処理を行うソフトウエアをインストールすることにより、目的、用途等に適合した所望のビデオ信号記録再生装置を提供することができる。
【００４４】
また、他の実施例を図８に示す。
図８に示すビデオ信号記録再生装置１ｃは、図７同様に制御部２００および操作部３００としてパーソナルコンピュータを適用した場合のビデオ信号記録再生装置であるが、さらに別途、記録再生部１００制御用のコントローラ３０４を設けたものである。
このコントローラ３０４は、ジョグシャトルやスローフェーダなどのビデオ信号の編集などに好適な操作装置である。また、このコントローラ３０４は、制御基板２０２を介してパソコン２００ｂと接続される。
このような専用コントローラ３０４を設けることにより、よりマンマシンインターフェイスの優れたビデオ信号記録再生装置を提供することができる。
【００４５】
【発明の効果】
本発明のビデオ信号記録再生装置によれば、入力されるビデオ信号を記録し逃すことなく確実に記録することができる。また、その記録したビデオ信号を、記録とほぼ同時的な場合を含めて所望のタイミングで再生し出力することができる。また、それらの処理は、ＧＵＩを用いた一元的かつ視覚的な操作により行うことができる。さらに、ＶＴＲテープにもビデオデータの記録が行えているので、そのＶＴＲテープを用いたノンリニア編集などを別途行うことができ、より応用範囲が広く入力されるビデオ信号を処理することができる。すなわち、所望のタイミング・形態でのビデオ信号の記録および再生を、高い信頼性で、操作性よく行うことができ、さらに他の機器や利用形態への適用も可能なような応用性・利便性の高いビデオ信号記録再生装置を提供できる。
【図面の簡単な説明】
【図１】本発明の一実施の形態のビデオ信号記録再生装置の構成を示す概略ブロック図である。
【図２】図１に示したビデオ信号記録再生装置の記録再生部の構成を示すブロック図である。
【図３】図１に示したビデオ信号記録再生装置の制御部における記録支援動作モード時の処理を示すフローチャートである。
【図４】図１に示したビデオ信号記録再生装置の制御部における再生支援動作モード時の処理を示すフローチャートである。
【図５】図１に示したビデオ信号記録再生装置の操作部の表示装置に実現されたＧＵＩ環境を説明するための図である。
【図６】図１に示したビデオ信号記録再生装置の記録再生部の制御部における処理の変形例を示す図である。
【図７】本発明のより具体的な実施例を示す図であり、図１に示したビデオ信号記録再生装置の制御部および操作部としてパーソナルコンピュータを適用した場合のビデオ信号記録再生装置の構成を示す図である。
【図８】本発明のより具体的な他の実施例を示す図であり、図７に示したビデオ信号記録再生装置にさらに専用のコントローラを設けた場合のビデオ信号記録再生装置の構成を示す図である。
【図９】従来のビデオ信号記録再生装置を説明するための図であり、（Ａ）はそのビデオ信号記録再生装置の構成を示す図であり、（Ｂ）はそのビデオ信号記録再生装置の動作を示す図である。
【符号の説明】
１…ビデオ信号記録再生装置、１００…記録再生部、１０２…第１のスイッチ、１０４…エンコーダ、１０６…第２のスイッチ、１０８…ハードディスク（ＨＤ）装置、１１０…ビデオテープレコーダ（ＶＴＲ）装置、１１２…第３のスイッチ、１１４…デコーダ、１１６…タイムコード生成部、１１８…制御部、１２０…ＩＯ部、２００…制御部、２０１…ビデオ入力基板、２０２…制御基板、３００…操作部、３０１…ディスプレイ、３０２…キーボード、３０３…マウス、３０４…コントローラ、４００…フロッピーディスク
【図１】
0003826451.tif 000002
【図２】
0003826451.tif 000003
【図３】
0003826451.tif 000004
【図４】
0003826451.tif 000005
【図５】
0003826451.tif 000006
【図６】
0003826451.tif 000007
【図７】
0003826451.tif 000008
【図８】
0003826451.tif 000009
【図９】
0003826451.tif 000010